(57)【要約】      （修正有）【課題】  日常的に水、油等が床に流れており、施工のために被塗面を乾燥清浄化しようとすると、相当の時間、手間が必要となる様な施工条件の現場であっても、迅速な施工が可能な塗り床工法を開発すること。【解決手段】  塗り床材を塗布する被塗面に対する乾燥・清浄作業などの下地処理工程を全く必要としない工法であり、床面に繊維状マットを載置し、アンカーピンを打ち込むことによって同マットを固定し、同マット上に塗り床材を塗装、乾燥させることを特徴とする塗り床工法。【選択図】    なし【特許請求の範囲】
【請求項１】
床面に繊維状マットを載置し、アンカーピンを打ち込むことによって同マットを固定し、同マット上に塗り床材を塗装、乾燥させることを特徴とする塗り床工法。
【発明の詳細な説明】
【技術分野】
【０００１】
本発明は、塗り床工法に関する。
【背景技術】
【０００２】
建築物の床部の仕上げ工法に関しては、コンクリートやモルタル素地の他、木材系、天然石・加工石等の無機系、樹脂系などの床材を敷設するといった各種の工法がある。その中で、塗り床工法は、仕上がり面の美麗さ、色のバリエーションの豊富さ、工事期間の短さなどの長所があり、塗り床材の配合によってノンスリップ加工を施したり、抗菌加工とするなど機能性を付加することも可能である。
【０００３】
塗り床工法を床の仕上げに採用した場合、迅速な工事期間とするため、塗布してから硬化までの時間が短いことが好ましく、また、床材に要求される物性として、耐傷つき性、耐衝撃性、耐磨耗性、耐水性、耐油性、耐薬品性などがあるため、塗り床材に使用されている樹脂は、エポキシ樹脂、ポリウレタン樹脂等の２液硬化型樹脂や、メチルメタクリレート（ＭＭＡ）等のアクリルオリゴマー系樹脂が使用されている。
【発明の開示】
【発明が解決しようとする課題】
【０００４】
上記の樹脂系に限らず、多くの塗り床材の場合、被塗面は乾燥し、水分や油分、その他ゴミ、ブツ等が無い状態であることが条件とされる。しかしながら施工現場によっては、日常的に水、油等が床に流れており、こういった現場において施工のために被塗面を乾燥清浄化しようとすると、相当の時間、手間が必要となる。このため、施工条件が上記の様な場合であっても、施工時間が短時間で済む施工方法が望まれている。
【０００５】
そこで、いかなる施工条件であっても、迅速な施工が可能な塗り床工法を開発することが本発明の課題である。
【課題を解決するための手段】
【０００６】
かかる課題を解決せんとして、本発明者は鋭意研究の結果、塗り床材を塗布する被塗面に対する乾燥・清浄作業などの下地処理工程を全く必要としない工法を開発したものであり、その要旨は以下に存する。
【０００７】
床面に繊維状マットを載置し、アンカーピンを打ち込むことによって同マットを固定し、同マット上に塗り床材を塗装、乾燥させることを特徴とする塗り床工法。
以下に詳細に説明する。
【０００８】
建物屋上、屋根、屋外駐車場等の場所に防水工事を実施する場合、防水層を保護する目的で、防水層上にガラス繊維マット等を補強層として敷き詰め、この上に熱硬化性樹脂を流し込むことにより、ＦＲＰ層形成する工法は公知となっている。
【特許文献１】特開平４-１４２３２３
【０００９】
本発明においては、日常的に床に水、油分が存在する、例えば食堂、レストラン、ホテル等の施設の厨房、食料倉庫、生鮮品市場、工場、あるいは雨天直後の屋外床部等を施工現場として想定する。
その他、新築の建築物であって、施工現場である床面がモルタル、あるいはコンクリート仕上げであるが、表面に凹凸が残り、このままでは通常は塗り床材の施工は困難であるため、表面の研磨、仕上げモルタルの鏝塗り、あるいはシーラーと呼ばれる下塗りの塗布が必要な状態の施工面を想定する。
【００１０】
これらの床面は、施工時に表面に多量の水分、あるいは油分が残留しており、通常の塗り床工法であると、まずこれらの水分、油分を除去し、乾燥させる作業が必須となる。仮に表面に水分、油分が残留したまま塗り床材を塗装した場合には、樹脂が硬化したとしても、被塗面との密着が充分でなく、後に剥離や、膨れ、ピンホールといった塗膜欠陥が発生する虞れがある。
被塗面が乾燥したとしても、表面が平滑ではなく、クラックや欠損、凹凸などが存在する場合には、これらをモルタル鏝押さえ、あるいはシーラーの塗布などにより、平滑面に調整する必要が生じる。これらの作業は通常下地処理と言われるが、この作業だけのために１日〜２日を費やしてしまうと、施設の閉鎖時間がそれだけ延びることになり、経済的損失が大きい。
そこで、下地処理に代わる工程として、繊維状マットを敷き詰め、マット相互が移動せぬためと、塗り床材と下地との固定のため、要所にアンカーピンを打ち込む。その後、塗り床材をマット上から塗布し、硬化乾燥させて工法終了である。
【００１１】
被塗面の素地は、コンクリート、モルタル等が好適であり、水分、油分が残っていてもかまわないが、被塗面表面に液状で残留している状態である場合には、これを適当な手段で除去する必要が生じる。除去手段は特に限定されないが、ほうき、デッキブラシ、ゴムワイパー等で排除するか、加熱蒸発させてしまう、面積が広い場合には吸引装置により吸収してしまう等の方法が例示できる。
すなわち、被塗面内部に水分等が浸潤して、表面が湿度を有する状態である程度には、水分、油分を除去する必要がある。
この上に隙間無く繊維状マットを敷き詰める。繊維状マットは、ガラスウール、ロックウール等の無機系繊維をマット状に加工したもの、各種の繊維系原料からなるニードルフェルト、レジンフェルト、不織布が例示できる。繊維状マットの繊維材質、マットの厚さの選択は、被塗面の状態により決定される。
マットを敷き詰め後、これを固定するため、要所にアンカーピンを打ち込む。アンカーピンの材質、長さ、使用密度は、固定するマットの材質や厚さによって決定される。
更に塗り床材を、流し塗り鏝仕上げ、ローラー塗装、刷毛塗り、スプレー塗装のいずれかにより塗装する。塗り床材は、２液硬化型のエポキシ樹脂系、ポリウレタン樹脂系、アクリルオリゴマー樹脂系等のものが例示できる。塗装後に珪砂等を散布することにより、ノンスリップ仕上げとすることや、抗菌剤を配合することにより、抗菌仕上げとすることも可能である。
１回塗りで必要な塗膜が形成できれば、１回塗りで仕上げとしても良いが、塗り床材の顔料容積率によっては１回の塗装で充分な塗膜が形成できないこともあり、この場合には複数回に分けて塗装を実施する。
【発明の効果】
【００１２】
本発明によれば、従来は下地処理に多くの時間を費やさなければならない状態の施工現場であっても、全く下地処理が不要であるため、迅速な施工が可能となる。
また、施工面に水分、油分が残留している場合のみならず、施工面が平滑ではなく、クラック（ひび割れ）、欠損、凹凸などがある場合には、通常モルタル鏝押さえなどにより平滑面に調整する作業が必須となり、作業工数が費やされるが、本発明によればこのような作業も不要となる。
【発明を実施するための最良の形態】
【００１３】
本発明の理解に供するため、以下に実施例を記載する。いうまでもなく、本発明は以下の実施例に限定されるものではない。
【実施例１】
【００１４】
水、あるいは湯水が日常的に流れる厨房床のモルタル素地上を施工面として塗り床工法を適用した。
まず、厨房設備を一時撤去し、表面の水を排除して、部分的に水分が内部に浸潤し、表面に湿度が残っている被塗面に、１ｍ幅のガラスウールマットを端より敷き詰めていき、各マットの端部に３０ｃｍ間隔でアンカーピンを打ち込み、マットを固定した。
上記マット上に、２液硬化型エポキシ樹脂系塗り床材を流し込み、表面をローラーにて均し仕上げた。作業開始から歩行可能まで２０時間で完了し、施工場所の閉鎖は延べ２日間であった。
【実施例２】
【００１５】
表面に細かい凹凸が残る、コンクリート打ち放し床面を施工面として塗り床工法を適用した。
被塗面に、１ｍ幅のフェルト不織布によるマットを端より敷き詰めていき、各マットの端部に３０ｃｍ間隔でアンカーピンを打ち込み、マットを固定した。
上記マット上に、アクリルオリゴマー樹脂系塗り床材を流し込み、表面をローラーにて均し仕上げた。作業開始から歩行可能まで２０時間で完了し、施工場所の閉鎖は延べ２日間であった。
【００１６】
［比較例１］
実施例１と同様の条件・面積のモルタル素地上に、従来工法により塗り床工法を適用した。
部分的に残留している水分をゴムワイパーにより除去し、全面にわたってゴミ、埃を取り除く清掃作業を行った。表面上の水分は取り除かれたが、表面が完全に乾燥するまで、１昼夜を要した。
２液硬化型エポキシ樹脂系塗り床材を流し込み、表面をローラーにて均し仕上げた。作業開始から歩行可能まで７０時間で完了し、施工場所の閉鎖は延べ４日間であった。
【００１７】
［比較例２］
実施例２と同様の条件・面積のコンクリート打ち放し床面を施工面として塗り床工法を適用した。
コンクリート表面の凸部を削り、残りの細かい凹凸を、モルタル鏝均しにより平滑面に調整した。モルタルが完全に乾燥するまで放置した。
調整平滑面に、アクリルオリゴマー樹脂系塗り床材を流し込み、表面をローラーにて均し仕上げた。作業開始から歩行可能まで８５時間で完了し、施工場所の閉鎖は延べ６日間であった。
【産業上の利用可能性】
【００１８】
塗り床工事を実施するには、そのままでは条件の悪い施工現場であっても、短時間で工事を終了することができるため、塗り床工事のために施設閉鎖時間をできるだけ短くしたい施設などに、広く適用が可能な塗り床工法である。